(57)【要約】【課題】電池が膨張した場合に外装ケースが破損することを抑制し、かつ、外装ケースのコスト上昇を抑制する。【解決手段】電池パック１００は、電池モジュール１０と、電池モジュール１０を収容する外装ケース２０とを備える。外装ケース２０は、ケース本体２１と、ケース本体２１と締結された内蓋２２と、内蓋２２を覆うような態様で、ケース本体２１と締結された外蓋２３とを有する。ケース本体２１に締結されている内蓋２２をケース本体２１から離脱させるために必要な最小の力が、ケース本体２１に締結されている外蓋２３をケース本体２１から離脱させるために必要な最小の力よりも小さい態様で、内蓋２２および外蓋２３がケース本体２１に締結されている。【選択図】図１
2018006285.tif 000002
【特許請求の範囲】
【請求項１】
電池と、
前記電池を収容する外装ケースと、
を備え、
前記外装ケースは、
ケース本体と、
前記ケース本体と締結された内蓋と、
前記内蓋を覆うような態様で、前記ケース本体と締結された外蓋と、
を有し、
前記ケース本体に締結されている前記内蓋を前記ケース本体から離脱させるために必要な最小の力が、前記ケース本体に締結されている前記外蓋を前記ケース本体から離脱させるために必要な最小の力よりも小さい態様で、前記内蓋および前記外蓋が前記ケース本体に締結されていることを特徴とする電池パック。
【請求項２】
前記ケース本体には、前記内蓋との間をネジで締結するための内蓋用インサートナット、および前記外蓋との間をネジで締結するための外蓋用インサートナットが設けられており、
前記内蓋用インサートナットを前記ケース本体から引き抜くために必要な最小の力が、前記外蓋用インサートナットを前記ケース本体から引き抜くために必要な最小の力よりも小さい態様で、前記内蓋用インサートナットおよび前記外蓋用インサートナットが前記ケース本体に設けられていることを特徴とする請求項１に記載の電池パック。
【請求項３】
前記ケース本体と前記外蓋との間は、外蓋用ネジと、前記外蓋用ネジと螺合する外蓋用螺合部材を用いて締結されており、
前記ケース本体と前記内蓋との間は、内蓋用ネジと、前記内蓋用ネジと螺合する内蓋用螺合部材を用いて締結されており、
前記内蓋用ネジと、前記内蓋用螺合部材との締結部が、前記外蓋用ネジと、前記外蓋用螺合部材との締結部よりも小さい力で破壊されるか、または、前記内蓋用ネジが、前記外蓋用ネジよりも小さい力で破断されるように構成されていることを特徴とする請求項１に記載の電池パック。
【請求項４】
前記ケース本体と前記内蓋とを締結するために用いられている内蓋用ネジの外径は、前記ケース本体と前記外蓋とを締結するために用いられている外蓋用ネジの外径よりも小さいことを特徴とする請求項１〜３のいずれかに記載の電池パック。
【請求項５】
前記ケース本体と前記内蓋とを締結するために用いられている内蓋用ネジのネジ部の長さは、前記ケース本体と前記外蓋とを締結するために用いられている外蓋用ネジのネジ部の長さよりも短く、
前記内蓋用ネジの螺合部分の長さは、前記外蓋用ネジの螺合部分の長さよりも短いことを特徴とする請求項１〜４のいずれかに記載の電池パック。  
【請求項６】
前記内蓋および前記外蓋は、樹脂により形成されていることを特徴とする請求項１〜５のいずれかに記載の電池パック。
【請求項７】
前記内蓋に用いられている樹脂の強度は、前記外蓋に用いられている樹脂の強度よりも小さいことを特徴とする請求項６に記載の電池パック。
【発明の詳細な説明】
【技術分野】
【０００１】
本発明は、電池と電池を収容する外装ケースとを備えた電池パックに関する。
【背景技術】
【０００２】
従来から、電池を外装ケースに収容した電池パックは、バックアップ電源などの用途に広く用いられている。
【０００３】
ところで、電池パックを構成する電池は、充放電を繰り返し行うと、ガスが発生して膨張することがある。そのため、外装ケースによって電池を押圧して、電池の膨張を抑制するようにした電池パックが知られている。
【０００４】
しかしながら、電池を過度に押圧すると、内部短絡等の不具合が生じる可能性がある。このため、特許文献１には、電池を収容する外装ケースを、膨張する電池を過度に押圧することを防止する構造とした電池パックが記載されている。
【先行技術文献】
【特許文献】
【０００５】
【特許文献１】特開２０１６−３５８７６号公報
【発明の概要】
【発明が解決しようとする課題】
【０００６】
ここで、外装ケースは、安全性の観点から、電池が膨張した場合でも破損しないような強度が必要であり、そのため、例えばアルミニウムのような金属を用いることが考えられる。しかしながら、外装ケースに金属を用いた場合、内部に収容する電池との間の絶縁性確保のために、絶縁材を追加したり、外装ケース表面に絶縁のための特殊コーティング処理を施したりすることが必要になり、コストの増大を招くという問題が生じる。
【０００７】
本発明は、上記課題を解決するものであり、電池が膨張した場合の外装ケースの破損および外装ケースのコスト上昇を抑制することができる電池パックを提供することを目的とする。
【課題を解決するための手段】
【０００８】
本発明の電池パックは、
電池と、
前記電池を収容する外装ケースと、
を備え、
前記外装ケースは、
ケース本体と、
前記ケース本体と締結された内蓋と、
前記内蓋を覆うような態様で、前記ケース本体と締結された外蓋と、
を有し、
前記ケース本体に締結されている前記内蓋を前記ケース本体から離脱させるために必要な最小の力が、前記ケース本体に締結されている前記外蓋を前記ケース本体から離脱させるために必要な最小の力よりも小さい態様で、前記内蓋および前記外蓋が前記ケース本体に締結されていることを特徴とする。
【０００９】
前記ケース本体には、前記内蓋との間をネジで締結するための内蓋用インサートナット、および前記外蓋との間をネジで締結するための外蓋用インサートナットが設けられており、
前記内蓋用インサートナットを前記ケース本体から引き抜くために必要な最小の力が、前記外蓋用インサートナットを前記ケース本体から引き抜くために必要な最小の力よりも小さい態様で、前記内蓋用インサートナットおよび前記外蓋用インサートナットが前記ケース本体に設けられている構成としてもよい。
【００１０】
また、前記ケース本体と前記外蓋との間は、外蓋用ネジと、前記外蓋用ネジと螺合する外蓋用螺合部材を用いて締結されており、
前記ケース本体と前記内蓋との間は、内蓋用ネジと、前記内蓋用ネジと螺合する内蓋用螺合部材を用いて締結されており、
前記内蓋用ネジと、前記内蓋用螺合部材との締結部が、前記外蓋用ネジと、前記外蓋用螺合部材との締結部よりも小さい力で破壊されるか、または、前記内蓋用ネジが、前記外蓋用ネジよりも小さい力で破断されるように構成されていてもよい。
【００１１】
前記ケース本体と前記内蓋とを締結するために用いられている内蓋用ネジの外径は、前記ケース本体と前記外蓋とを締結するために用いられている外蓋用ネジの外径よりも小さい構成としてもよい。
【００１２】
また、前記ケース本体と前記内蓋とを締結するために用いられている内蓋用ネジのネジ部の長さは、前記ケース本体と前記外蓋とを締結するために用いられている外蓋用ネジのネジ部の長さよりも短く、
前記内蓋用ネジの螺合部分の長さは、前記外蓋用ネジの螺合部分の長さよりも短い構成としてもよい。
【００１３】
前記内蓋および前記外蓋は、樹脂により形成されている構成としてもよい。
【００１４】
前記内蓋に用いられている樹脂の強度は、前記外蓋に用いられている樹脂の強度よりも小さくてもよい。
【発明の効果】
【００１５】
本発明によれば、内蓋と外蓋とを備える二重蓋構造とし、電池が膨張した場合に、ケース本体と内蓋との間の締結状態が維持されなくなることを許容しつつ、ケース本体と外蓋との間の締結状態を維持することができる。これにより、外蓋を、金属以外の素材、例えば樹脂により形成することができるので、外蓋の破損を抑制しつつ、外装ケースのコストを低減することができる。
【図面の簡単な説明】
【００１６】
【図１】一実施の形態における電池パックの側面断面図である。
【図２】一実施の形態における電池パックに含まれる外装ケースの構成を説明するための分解図である。
【図３】外蓋用ネジによるケース本体と外蓋との締結部分、および、内蓋用ネジによるケース本体と内蓋との締結部分を模式的に示す図である。
【発明を実施するための形態】
【００１７】
以下に本発明の実施形態を示して、本発明の特徴とするところをさらに具体的に説明する。
【００１８】
図１は、一実施の形態における電池パック１００の側面断面図である。また、図２は、一実施の形態における電池パック１００に含まれる外装ケース２０の構成を説明するための分解図である。
【００１９】
電池パック１００は、複数のセルからなる電池モジュール１０と、電池モジュール１０を収容する外装ケース２０とを備える。
【００２０】
電池モジュール１０は、例えば、リチウムイオン二次電池である。ただし、電池モジュール１０がリチウムイオン二次電池に限定されることはなく、別の種類の電池であってもよい。また、この実施形態では、複数のセルからなる電池モジュール１０が外装ケース２０に収容されているものとして説明するが、単セルが外装ケース２０に収容されている構造であってもよい。
【００２１】
外装ケース２０は、ケース本体２１と、ケース本体２１と締結された内蓋２２と、内蓋２２を覆うような態様で、ケース本体２１と締結された外蓋２３とを有する。すなわち、外装ケース２０は、内蓋２２と外蓋２３を有する二重蓋構造となっている。
【００２２】
この実施形態では、ケース本体２１は樹脂によって形成されている。ケース本体２１には、内蓋２２との締結時に使用される螺合部材である内蓋用インサートナット３１〜３４が設けられている。ケース本体２１にはまた、外蓋２３との締結時に使用される螺合部材である外蓋用インサートナット３５〜３８が設けられている。
【００２３】
内蓋２２は、樹脂によって形成されている。内蓋２２には、内蓋用ネジ４１〜４４を貫通させるための孔が設けられている。内蓋用ネジ４１〜４４は、内蓋２２に設けられている孔を貫通して、ケース本体２１に設けられている内蓋用インサートナット３１〜３４とそれぞれ締結している。
【００２４】
外蓋２３は、樹脂によって形成されている。外蓋２３には、外蓋用ネジ４５〜４８を貫通させるための孔が設けられている。外蓋用ネジ４５〜４８は、外蓋２３に設けられている孔を貫通して、ケース本体２１に設けられている外蓋用インサートナット３５〜３８とそれぞれ締結している。
【００２５】
内蓋２２および外蓋２３がそれぞれケース本体２１と締結されている状態において、電池モジュール１０は、ケース本体２１と内蓋２２によって形成された空間内に収容されている。また、電池モジュール１０および内蓋２２を内部に収容するような態様で、外蓋２３がケース本体２１と締結されている。
【００２６】
内蓋２２および外蓋２３がケース本体２１と締結されている状態において、内蓋２２と外蓋２３との間には、隙間が存在する。内蓋２２と外蓋２３との間に隙間が存在することにより、後述するように、電池モジュール１０が膨張した場合に、内蓋２２がケース本体２１から外れて、外蓋２３の方向に移動可能となる。
【００２７】
この実施形態における電池パック１００では、ケース本体２１に締結されている内蓋２２をケース本体２１から離脱させるために必要な最小の力が、ケース本体２１に締結されている外蓋２３をケース本体２１から離脱させるために必要な最小の力よりも小さい態様で、内蓋２２および外蓋２３がケース本体２１に締結されている。これは、電池モジュール１０が膨張した場合に、ケース本体２１から内蓋２２が外れることを許容しつつ、ケース本体２１と外蓋２３との間の締結状態を維持するためである。
【００２８】
すなわち、外装ケース２０を、内蓋２２と外蓋２３を有する二重蓋構造とし、内蓋２２をケース本体２１から離脱させるために必要な最小の力が、外蓋２３をケース本体２１から離脱させるために必要な最小の力よりも小さい構造とすることにより、電池モジュール１０の膨張を、内蓋２２が外れるという内蓋２２の破損で対応させて、外蓋２３の破損を防止することができる。これにより、外蓋２３を、金属以外の安価な素材、例えば樹脂により形成することができるので、コストを低減することができる。
【００２９】
また、外蓋２３を金属以外の素材で形成することにより、外蓋２３と電池モジュール１０との間の絶縁性確保のための絶縁材を設ける必要や、外蓋２３の表面に特殊コーティング処理を施す必要がなくなるので、コストの増大を抑制することができる。
【００３０】
また、内蓋２２は、電池モジュール１０の膨張時に、破損することを許容するため、強度の大きい金属を用いる必要がなく、金属以外の安価な素材、例えば樹脂により形成することができる。これにより、コストを低減することができる。
【００３１】
さらに、内蓋２２および外蓋２３の素材として樹脂を用いることにより、金属素材を用いる場合と比べて、電池パック１００を軽量化することができる。
【００３２】
ここで、ケース本体２１から内蓋２２が外れる態様には、内蓋用ネジ４１〜４４と内蓋用インサートナット３１〜３４とが締結した状態で、内蓋用インサートナット３１〜３４がケース本体２１から外れることによって内蓋２２が外れる態様、内蓋用インサートナット３１〜３４と内蓋用ネジ４１〜４４との間の螺合部分が破損して、内蓋用ネジ４１〜４４が外れることによって内蓋２２が外れる態様、および、内蓋用インサートナット３１〜３４と締結している内蓋用ネジ４１〜４４が破断して、内蓋２２が外れる態様、などの態様がある。
【００３３】
また、電池モジュール１０の膨張時に、ケース本体２１から内蓋２２が外れる態様には、ケース本体２１から内蓋２２が完全に外れる態様だけでなく、ケース本体２１と内蓋２２とが締結されている複数箇所のうち、一部の箇所の締結状態が維持されなくなる態様も含まれる。
【００３４】
この実施形態における電池パック１００では、内蓋２２および外蓋２３を有する二重蓋構造としているため、電池モジュール１０の膨張時に、外側の外蓋２３の破損が抑制される構造となっている。しかしながら、より高い安全性確保のためには、外蓋２３は強度の大きい素材を用いて形成することが好ましい。
【００３５】
このため、外蓋２３の素材として、例えば、ガラス繊維を添加したポリカーボネート樹脂を用いることができる。外蓋２３の素材として、ガラス繊維を添加したポリカーボネート樹脂を用いることにより、外蓋２３の強度を向上させて、より高い安全性を確保することができる。
【００３６】
一方、内蓋２２は、電池モジュール１０の膨張時に破損することが許容されるため、外蓋２３よりも強度の小さい樹脂を用いて形成することができる。内蓋２２を、外蓋２３よりも強度の小さい樹脂を用いて形成することにより、コストを低減することができる。
【００３７】
例えば、内蓋２２の素材として、ガラス繊維を添加していないポリカーボネート樹脂を用いることができる。ガラス繊維を添加していないポリカーボネート樹脂は、ガラス繊維を添加したポリカーボネート樹脂よりもコストが低いため、内蓋２２の素材として、ガラス繊維を添加していないポリカーボネート樹脂を用いることにより、コストを低減することができる。
【００３８】
上述したように、この実施形態における電池パック１００では、ケース本体２１に締結されている内蓋２２をケース本体２１から離脱させるために必要な最小の力が、ケース本体２１に締結されている外蓋２３をケース本体２１から離脱させるために必要な最小の力よりも小さい態様で、内蓋２２および外蓋２３がケース本体２１に締結されている。その具体的な構成として、例えば、下記（１）〜（３）のうちの少なくとも１つの条件を満たすようにする。
【００３９】
（１）外蓋用ネジ４５〜４８の外径に比べて、内蓋用ネジ４１〜４４の外径を小さくする。
【００４０】
図３は、上記（１）の条件を満たす場合における、外蓋用ネジ４７によるケース本体２１と外蓋２３との締結部分、および、内蓋用ネジ４３によるケース本体２１と内蓋２２との締結部分を模式的に示す図である。図３に示すように、内蓋用ネジ４３の外径は、外蓋用ネジ４７の外径よりも小さい。
【００４１】
すなわち、（１）の条件を満たす場合、外蓋用ネジ４５〜４８と締結されている外蓋用インサートナット３５〜３８の内径に比べて、内蓋用ネジ４１〜４４と締結されている内蓋用インサートナット３１〜３４の内径は小さい。また、外蓋用インサートナット３５〜３８の外径に比べて、内蓋用インサートナット３１〜３４の外径も小さい。
【００４２】
なお、内蓋用ネジ４１〜４４と外蓋用ネジ４５〜４８の長さは、例えば同じであり、内蓋用インサートナット３１〜３４の軸方向の長さと外蓋用インサートナット３５〜３８の軸方向の長さは、例えば同じである。ただし、それらの長さは異なっていてもよい。
【００４３】
この場合、外径の大きい外蓋用インサートナット３５〜３８とケース本体２１との接触面積と比べて、外径の小さい内蓋用インサートナット３１〜３４とケース本体２１との接触面積は小さいので、内蓋用インサートナット３１〜３４をケース本体２１から引き抜くために必要な最小の力は、外蓋用インサートナット３５〜３８をケース本体２１から引き抜くために必要な最小の力よりも小さくなる。これにより、ケース本体２１に締結されている内蓋２２をケース本体２１から離脱させるために必要な最小の力は、ケース本体２１に締結されている外蓋２３をケース本体２１から離脱させるために必要な最小の力よりも小さくなる。
【００４４】
すなわち、電池モジュール１０の膨張時に、内蓋用ネジ４１〜４４と内蓋用インサートナット３１〜３４とが締結した状態で、内蓋用インサートナット３１〜３４がケース本体２１から外れやすくなる。
【００４５】
また、外径の小さい内蓋用ネジ４１〜４４は、外径の大きい外蓋用ネジ４５〜４８と比べて、引張強度が小さい。このため、内蓋用ネジ４１〜４４を破断させて、ケース本体２１に締結されている内蓋２２をケース本体２１から離脱させるために必要な最小の力は、外蓋用ネジ４５〜４８を破断させて、ケース本体２１に締結されている外蓋２３をケース本体２１から離脱させるために必要な最小の力よりも小さくなる。
【００４６】
したがって、外蓋用ネジ４５〜４８の外径に比べて、内蓋用ネジ４１〜４４の外径を小さくした場合、外蓋用ネジ４５〜４８よりも先に内蓋用ネジ４１〜４４を破断させる態様で、外蓋２３よりも先にケース本体２１から内蓋２２を離脱させることができるようにすることも可能になる。
【００４７】
内蓋用ネジ４１〜４４および外蓋用ネジ４５〜４８は、市販のものを用いることができる。例えば、外蓋用ネジ４５〜４８としてＪＩＳ規格でＭ６のネジを用い、内蓋用ネジ４１〜４４としてＪＩＳ規格でＭ４のネジを用いる。その場合の外蓋用ネジ４５〜４８の引張強度は、例えば１８１４Ｎであり、内蓋用ネジ４１〜４４の引張強度は、例えば１１７７Ｎである。
【００４８】
（２）外蓋用ネジ４５〜４８のネジ部の長さに比べて、内蓋用ネジ４１〜４４のネジ部の長さを短くし、外蓋用ネジ４５〜４８の螺合部分の長さと比べて、内蓋用ネジ４１〜４４の螺合部分の長さを短くする。
【００４９】
上記（２）の条件を満たすようにする場合、すなわち、外蓋用ネジ４５〜４８のネジ部の長さに比べて、内蓋用ネジ４１〜４４のネジ部の長さが短く、かつ、外蓋用ネジ４５〜４８の螺合部分の長さと比べて、内蓋用ネジ４１〜４４の螺合部分の長さを短くする場合、内蓋用インサートナット３１〜３４として、その軸方向の寸法である長さが、外蓋用インサートナット３５〜３８の軸方向の寸法である長さよりも短いものが用いられることになる。
【００５０】
この場合、外蓋用インサートナット３５〜３８とケース本体２１との接触面積と比べて、内蓋用インサートナット３１〜３４とケース本体２１との接触面積は小さくなり、締結力も弱くなる。このため、ケース本体２１から内蓋用インサートナット３１〜３４を引き抜くために必要な最小の力は、ケース本体２１から外蓋用インサートナット３５〜３８を引き抜くために必要な最小の力よりも小さくなる。その結果、ケース本体２１から内蓋用インサートナット３１〜３４を引き抜いて、内蓋２２をケース本体２１から離脱させるために必要な最小の力は、外蓋２３をケース本体２１から離脱させるために必要な最小の力よりも小さくなる。
【００５１】
これにより、電池モジュール１０の膨張時に、内蓋用ネジ４１〜４４と内蓋用インサートナット３１〜３４とが締結した状態で、内蓋用インサートナット３１〜３４がケース本体２１から外れやすくなる。
【００５２】
（３）外蓋２３とケース本体２１との締結部分に用いられている材料と比べて、内蓋２２とケース本体２１との締結部分に用いられている材料を柔らかくする。
【００５３】
この（３）の条件を満たすため、例えば、ケース本体２１を構成する材料のうち、内蓋用インサートナット３１〜３４がインサートされている領域を構成する材料として、外蓋用インサートナット３５〜３８がインサートされている領域を構成する材料よりも軟らかい材料を用いる。これにより、内蓋用インサートナット３１〜３４とケース本体２１との結合力は、外蓋用インサートナット３５〜３８とケース本体２１との結合力よりも小さくなる。
【００５４】
また、（３）の条件を満たすため、例えば、内蓋用インサートナット３１〜３４として、外蓋用インサートナット３５〜３８よりも柔らかい材料からなるインサートナットを用いる。これにより、内蓋用インサートナット３１〜３４とケース本体２１との結合力は、外蓋用インサートナット３５〜３８とケース本体２１との結合力よりも小さくなる。
【００５５】
上述のように、内蓋用インサートナット３１〜３４とケース本体２１との結合力が、外蓋用インサートナット３５〜３８とケース本体２１との結合力よりも小さくなる構成とすることにより、電池モジュール１０の膨張時に、内蓋用ネジ４１〜４４と内蓋用インサートナット３１〜３４とが締結した状態で、内蓋用インサートナット３１〜３４がケース本体２１から外れやすくなる。したがって、内蓋用インサートナット３１〜３４をケース本体２１から抜けやすくして、内蓋２２が外蓋２３よりも先にケース本体２１から離脱しやすくするようにすることができる。
【００５６】
なお、上述した、ケース本体２１を構成する材料の一部が異なる場合、および、内蓋用インサートナット３１〜３４と外蓋用インサートナット３５〜３８の構成材料が異なる場合には、内蓋用ネジ４１〜４４および外蓋用ネジ４５〜４８として、同じ種類のネジを用いることができる。
【００５７】
また、上述した、外蓋用インサートナット３５〜３８と比べて、内蓋用インサートナット３１〜３４の構成材料が柔らかい場合には、内蓋用インサートナット３１〜３４と内蓋用ネジ４１〜４４との間の締結部分が、外蓋用インサートナット３５〜３８と外蓋用ネジ４５〜４８との間の締結部分よりも、小さい力で破壊されることになる。すなわち、内蓋用インサートナット３１〜３４と内蓋用ネジ４１〜４４との間の締結部分が、外蓋用インサートナット３５〜３８と外蓋用ネジ４５〜４８との間の締結部分よりも、小さい力で破壊される態様で、内蓋２２を、外蓋２３よりも先にケース本体２１から離脱させることも可能になる。
【００５８】
さらに、（３）の条件を満たすため、例えば、内蓋用ネジ４１〜４４として、外蓋用ネジ４５〜４８よりも柔らかい材料からなるネジを用いることもできる。この場合、内蓋用インサートナット３１〜３４と内蓋用ネジ４１〜４４との間の締結部分が、外蓋用インサートナット３５〜３８と外蓋用ネジ４５〜４８との間の締結部分よりも、小さい力で破壊されることになる。すなわち、内蓋用インサートナット３１〜３４と内蓋用ネジ４１〜４４との間の締結部分が、外蓋用インサートナット３５〜３８と外蓋用ネジ４５〜４８との間の締結部分よりも、小さい力で破壊される態様で、内蓋２２を、外蓋２３よりも先にケース本体２１から離脱させることが可能になる。
【００５９】
また、内蓋用ネジ４１〜４４として、外蓋用ネジ４５〜４８よりも柔らかい材料からなるネジを用いる場合、内蓋用ネジ４１〜４４の引張強度は、外蓋用ネジ４５〜４８の引張強度よりも小さくなる。このため、内蓋用ネジ４１〜４４を、外蓋用ネジ４５〜４８よりも小さい力で先に破断させる態様で、内蓋２２を、外蓋２３よりも先にケース本体２１から離脱させることができるようにすることも可能になる。
【００６０】
なお、内蓋用ネジ４１〜４４として、外蓋用ネジ４５〜４８よりも柔らかい材料からなるネジを用いる場合、内蓋用ネジ４１〜４４および外蓋用ネジ４５〜４８として、構成材料以外は、同じ種類のネジを用いることができる。
【００６１】
なお、上記（１）〜（３）の条件のうち、１つの条件だけを満たす構成としてもよいし、任意の２つの条件、もしくは全ての条件を満たす構成としてもよい。
【００６２】
ケース本体２１に締結されている内蓋２２をケース本体２１から離脱させるために必要な最小の力と、ケース本体２１に締結されている外蓋２３をケース本体２１から離脱させるために必要な最小の力との関係は、例えば、外蓋２３をケース本体２１から離脱させるために必要な最小の力を基準の１００％とした場合に、内蓋２２をケース本体２１から離脱させるために必要な最小の力が８０％となるような関係であることが好ましい。
【００６３】
この実施形態における電池パック１００では、電池モジュール１０の制御基板５０が内蓋２２の上に固定されている。制御基板５０には、例えば、電池モジュール１０の充放電を制御するＣＰＵが載置されている。上述したように、内蓋２２は、樹脂により形成されているので、制御基板５０を内蓋２２の上に配置することにより、内蓋２２より下に配置されている電池モジュール１０と、内蓋２２より上に配置されている制御基板５０との間の絶縁性を確保することができる。この場合、内蓋２２に、制御基板５０を保持するための保持部材としての機能を持たせることができる。
【００６４】
なお、図１に示す電池パック１００では、電池モジュール１０の膨張を抑制するために、内蓋２２と電池モジュール１０との間に、加圧部材であるばね６０を設けている。この場合、内蓋２２は、加圧部材であるばね６０を保持する機能も有する。ただし、加圧部材は設けられていなくてもよい。
【００６５】
本発明は、上記実施形態に限定されるものではなく、本発明の範囲内において、種々の応用、変形を加えることが可能である。
【００６６】
例えば、上述した実施形態では、ケース本体２１と内蓋２２が４本の内蓋用ネジ４１〜４４を用いて締結されているものとして説明したが、３本以下の内蓋用ネジを用いて締結されていてもよいし、５本以上の内蓋用ネジを用いて締結されていてもよい。
【００６７】
また、ケース本体２１と外蓋２３は、４本の外蓋用ネジ４５〜４８を用いて締結されているものとして説明したが、３本以下の外蓋用ネジを用いて締結されていてもよいし、５本以上の外蓋用ネジを用いて締結されていてもよい。
【００６８】
上述した実施形態では、ケース本体２１、内蓋２２、および外蓋２３はいずれも、樹脂によって形成されているものとして説明したが、樹脂以外の素材を用いて形成されていてもよい。ただし、内部に収容する電池モジュール１０との間の絶縁性を確保するためには、ケース本体２１、内蓋２２、および外蓋２３は、金属以外の素材を用いて形成されることが好ましい。なお、必要に応じて、ケース本体２１、内蓋２２、および外蓋２３のうちの一部分に金属を用いるようにしてもよく、また、場合によっては、全体を金属で形成することも可能である。
【００６９】
内蓋２２をケース本体２１から離脱させるために必要な最小の力が、外蓋２３をケース本体２１から離脱させるために必要な最小の力よりも小さくするための構成が上記（１）〜（３）の構成に限定されることもない。
【００７０】
ケース本体２１には、内蓋用インサートナット３１〜３４および外蓋用インサートナット３５〜３８が設けられているものとして説明したが、インサートナットを設けずに、ケース本体２１に、内蓋用ネジ４１〜４４および外蓋用ネジ４５〜４８と締結するためのネジ穴が設けられている構成としてもよい。この場合、ケース本体２１のネジ穴が設けられた部分が螺合部材として機能することになる。
【００７１】
また、螺合部材は、上述のようなインサートナットや、ケース本体のネジ穴が設けられた部分である場合に限られるものではなく、例えば、一般にネジと組み合わせて用いられるナット（雌ねじ）であってもよく、このナットの例としては、六角ナット、蝶ナットなど種々のものを挙げることができる。
【００７２】
なお、上記ネジ穴を螺合部材として機能させるように構成した場合において、上記（１）の条件を満たすように構成する場合、すなわち、外蓋用ネジ４５〜４８の外径に比べて、内蓋用ネジ４１〜４４の外径が小さい構成とする場合には、外蓋用ネジ４５〜４８および内蓋用ネジ４１〜４４の形状に合わせて、外蓋用ネジ４５〜４８と締結するためのネジ穴の直径と比べて、内蓋用ネジ４１〜４４と締結するためのネジ穴の直径が小さくなるようにする。
【００７３】
また、上記（２）の条件を満たすように構成する場合、すなわち、外蓋用ネジ４５〜４８のネジ部の長さに比べて、内蓋用ネジ４１〜４４のネジ部の長さが短い構成とする場合には、外蓋用ネジ４５〜４８および内蓋用ネジ４１〜４４の形状に合わせて、外蓋用ネジ４５〜４８と締結するためのネジ穴の長さと比べて、内蓋用ネジ４１〜４４と締結するためのネジ穴の長さが短くなるようにする。
【００７４】
ケース本体２１と内蓋２２との締結箇所のうちの所定箇所、例えば、１箇所において、内蓋２２が外れやすくなる構成としてもよい。例えば、内蓋用ネジ４１を用いて締結されている箇所が他の箇所と比べて外れやすい構成とするために、内蓋用ネジ４２〜４４の外径に比べて、内蓋用ネジ４１の外径を小さくするようにしてもよいし、内蓋用ネジ４２〜４４のネジ部の長さに比べて、内蓋用ネジ４１のネジ部の長さを短くするようにしてもよい。
【符号の説明】
【００７５】
１０    電池モジュール
２０    外装ケース
２１    ケース本体
２２    内蓋
２３    外蓋
３１〜３４  内蓋用インサートナット
３５〜３８  外蓋用インサートナット
４１〜４４  内蓋用ネジ
４５〜４８  外蓋用ネジ
５０    制御基板
６０    ばね
１００  電池パック
【図１】
2018006285.tif 000003
【図２】
2018006285.tif 000004
【図３】
2018006285.tif 000005